(57)【要約】【課題】  周波数ホッピング通信方式の送信装置および受信装置のハードウエア規模を小さくする。ホッピングパターンを発生するための回路を小型化する。【解決手段】  送信側では、周波数ホッピングパターンを複数のパターンの組合せとして発生する。受信側では、周波数ホッピングパターンをその群ごとに分離して段階的に復調する。【選択図】図１
2005045663.tif 000002
【特許請求の範囲】
【請求項１】
送信側から、入力データのｎビットが表すＫ個数の情報（Ｋ＝２n）をＫ1個のレベル情報およびＫ2個のホッピングパターンの組合せ情報（ただしＫ＝Ｋ1＋Ｋ2）として送信するスペクトル拡散通信方法において、
前記送信側で複数のホッピングパターン群の組合せにより多数のホッピングパターンを合成することを特徴とするスペクトル拡散通信方法。
【請求項２】
請求項１記載の通信方法により送信された信号の受信側で、前記ホッピングパターンをその群ごとに分離して段階的に復調することを特徴とするスペクトル拡散通信方法。
【請求項３】
受信信号レベルを検出するとともに、前記ホッピングパターンに対応するＫ2個（Ｋ2＝２m＋１）のホッピングパターンを発生し、前記受信レベルの検出出力を共通に第一入力とし、このホッピングパターンをそれぞれ第二入力とするＫ2個（Ｋ2＝２m＋１）のｍｏｄ（Ｋ1）減算を実行し、この減算出力のうち同一レベルが多数出現するパターンおよびそのレベルを判定出力とし、その判定出力である前記Ｋ2個のパターンのうちの一つおよびそのパターンにより復号されたＫ1個のうちの一つのレベルの組み合わせからｎビットの情報を復元するステップを含む請求項２記載のスペクトル拡散通信方法。
【請求項４】
入力データのｎビットが表すＫ個数の情報（Ｋ＝２n）をＫ1個のレベル情報（Ｋ1＝２k）およびＫ2個のホッピングパターンの組合せ情報（Ｋ2＝２m＋１，ただしＫ＝Ｋ1＋Ｋ2）として送信する手段を含むスペクトル拡散通信装置において、
ホッピングパターン群の組合せにより多数のホッピングパターンを合成する手段を備えたことを特徴とするスペクトル拡散通信装置。
【請求項５】
前記ホッピングパターン群の組合せにより多数のホッピングパターンを合成する手段は、受信側で段階的にパターン群を分離できるようにその合成手順が設定された請求項４記載のスペクトル拡散通信装置。
【発明の詳細な説明】
【技術分野】
【０００１】
本発明は、周波数スペクトル拡散通信に関する。本発明は、周波数ホッピング・パターンを伝送情報により選択するスペクトル拡散通信に関する。本発明は、ＦＨ／MultilevelＦＳＫ（Frequency Hopping by Multilevel Frequency Shift Keying)方式の改良として有用である。しかしこれに限らず、本発明の原理は広くあらゆる周波数ホッピング通信に実施することができる。
【背景技術】
【０００２】
【特許文献１】特開２０００−９１９５７号公報 (出願人、創価大学)
【特許文献２】特開２００３−１２４８４８号公報 (出願人、タマティーエルオー）
【非特許文献１】D.J.Goodman etal"Frequency-hopped multilevel FSK for mobile radio" Bell SystemTechnical Journal 59-7 pp1257-1275(Sept.1980)
【非特許文献２】丸林ほか著「スペクトル拡散通信とその応用」電子情報通信学会発行、1998年５月
【０００３】
図５および図６はＦＨ／MultilevelＦＳＫ方式を説明するためのブロック構成図である。この方式は上記〔非特許文献１〕（Goodman)に説明されているものである。図５はその送信装置の構成図である。入力データは符号器１でｋビット毎に区切り２kレベルからなる符号語に変換する。アドレスパターン発生器２はそのシステムに固有のホッピングパターンを２kレベルからなるＬチップのアドレス符号として発生する。入力データｋビット長をＴ、アドレスの１チップ長をτとすると、Ｔ＝τＬの関係にある。
【０００４】
符号器１は入力データｋビットの状態に対応して２kレベルの中からひとつを選びこれをＬ回出力する。符号器１の出力とアドレス符号はｍｏｄ（２k）加算器３で加算され、この加算出力に対応する周波数のトーンがトーン発生器４から発生され、これが変調出力となる。この変調出力は周波数変調器（図外）の変調入力となり、その周波数変調器から周波数ホッピング信号が送出される。これは中間周波数信号であり、この中間周波数信号は所定の周波数帯の高周波信号に変換されて空間に送信される。
【０００５】
図６はこれに対応する受信装置の構成図である。この受信入力は高周波信号を周波数変換した中間周波信号である。これをスペクトル解析器５で周波数信号からレベル信号に変換される。受信装置には送信装置と等しいアドレスパターンを発生するアドレスパターン発生器６を備え、発生されたアドレス符号はｍｏｄ（２k）減算器７に供給される。このｍｏｄ（２k）減算器７は、変換された入力レベルからアドレス符号の減算を実行する。受信入力には他システムの信号が雑音として混入しているが、このｍｏｄ（２k）減算器７出力では、当該システムの信号は同一レベルに揃うが、雑音は多くのレベルに分散する。判定復号器８では多数決判定によって最も多くの成分が存在するレベルを正しいレベルと判定しデータを復元する。
【０００６】
この様子を図７および図８を用いて説明すると、図７（ａ）は送信符号語であり、横軸は時間、縦軸はレベルを表す。周波数は１から２kまで設定される。同図（ｂ）は送信アドレスパターンである。同じく横軸は時間、縦軸はレベルを表す。このアドレスパターンはレベル１からＬまでにそのシステム固有のパターンとして設定される。図７（ｃ）は送信スペクトルを表し、横軸は同じく時間であるが縦軸は周波数を表す。この図７（ａ）に示す送信符号語を図７（ｂ）に示すアドレス符号とｍｏｄ（２k）加算を行い、これを周波数トーンに変換すると、図７（ｃ）に示すような送信スペクトルとなる。
【０００７】
この送信スペクトルは、受信装置に受信されると図８（ａ）に示すように信号を表す×印だけでなく雑音を表す○印のレベル情報が各タイミングに受信される。図８（ａ）は横軸が時間、縦軸は周波数を表す。図８（ｂ）は受信装置のアドレスパターンである。このアドレスパターンは送信装置のアドレスパターンと等しく設定される。このアドレスパターンを用いてｍｏｄ（２k）の減算を行うと、図８（ｃ）に示すようなレベル信号が得られる。すなわち、当該システムの信号×印は同一レベルに現れるが、他システムの信号あるいは雑音はｍｏｄ（２k）減算の結果多数のレベルに分散することになり、多数決判定によりこれを識別して復号することができる。
【０００８】
この従来技術（ＦＨ／MultilevelＦＳＫ方式）については、上記〔非特許文献２〕、特にその３７〜４９頁に詳しい記載がある。
【０００９】
本願発明者は、この通信方式について周波数利用効率を向上する発明を上記〔特許文献１〕に開示した。以下これを「先願発明」という。これは、周波数ホッピングパターンの選択をアドレスに割り付けるのではなく、情報伝送に割り付けることにより、伝送することができる情報量を二次元的に拡大するものである。
【００１０】
さらに本願発明者は、周波数利用効率を向上する方式として上記〔特許文献２〕に記載の発明を開示した。これは送信装置に設けるトーン発生器について、ｎレベルの入力信号に対して、ｍ個のトーンの中からｉ個のトーンの組合せを対応させるように構成したものである。
【発明の開示】
【発明が解決しようとする課題】
【００１１】
上記従来技術は、他システムからの雑音に対して誤り率が低く、周波数利用効率が他の周波数ホッピング通信方式に比べて格段によい。この方式は、将来、電波資源の有効利用および送信電力の低減を図ることができるものと期待されている。
【００１２】
しかし、複数のホッピングパターンを情報伝送に利用して、情報通信速度を向上する周波数ホッピング・スペクトル拡散通信方式では、使用できるホッピングパターンの数を多くすることにより情報通信速度を上げることができるが、ホッピングパターンの数を大きくすると、送受信装置のハードウエア規模が大きくなる欠点がある。すなわち通信装置に搭載することができる回路規模の点から、使用できるパターン数にはおのずから制約が生じることになる。
【００１３】
いまＮ個（例、２５６個）のホッピングパターンを使用する場合を考えると、送信装置および受信装置に、それぞれＮ個のホッピングパターンを発生する回路を設けて、これらを同時に動作させることが必要である。すなわち送信装置および受信装置に、同時に動作できるＮ個のホッピングパターン発生回路をハードウエアとして並列的に用意しなければならない。とくに受信装置のハードウエアとしては、さらに並列的に動作するＮ個の減算回路が必要になる。したがって受信装置の回路規模が大きくなる。同時に並列的に動作するハードウエアの数が大きくなると、装置が動作する際に必要な瞬時電力も大きくなる。
【００１４】
本発明はこれを改良するものであって、用意するホッピングパターンの数および減算回路の数を大幅に減らすことができる、周波数ホッピング・スペクトル拡散による通信方法、送信装置および受信装置を提供することを目的とする。本発明は、周波数ホッピングパターンをシステムのアドレスとして割り当てるのではなく、周波数ホッピングパターンの選択を情報伝送に利用する利点を生かし、上記先願発明をさらに改良することを目的とする。本発明は、周波数ホッピング・スペクトル拡散通信の周波数利用効率を拡大するとともに、通信装置のハードウエア規模を小さくすることができる通信方法、送信装置および受信装置を提供することを目的とする。本発明は、装置に必要な電源装置の瞬時電力を小さくすることができる周波数ホッピング・スペクトル拡散通信方法、送信装置および受信装置を提供することを目的とする。
【課題を解決するための手段】
【００１５】
本発明は、送信側で複数のホッピングパターン群の組合せにより多数のホッピングパターンを合成し、受信側でホッピングパターンをその群ごとに分離して段階的に復調することを最大の特徴とする。
【００１６】
上記Ｎ個（例、２５６個）のホッピングパターンを使用する場合の例示により説明すると分かりやすい。かりに２５６個のホッピングパターンを使用するためには、従来例装置では、送信装置にも受信装置にもそれぞれ２５６個のホッピングパターン発生回路を設けることが必要である。さらに受信装置には２５６個の減算回路が必要であることを述べた。本発明の構成を例示すると、送信装置で２５６個数のホッピングパターンを発生するために、それぞれ１６個のパターンからなる二つのパターン群の合成によって、すなわち
１６×１６＝２５６（個）
のホッピングパターンを生成する。このように構成すると送信装置に用意するホッピングパターン発生回路の数は
１６＋１６＝３２（個）
でよいことになる。受信装置においても同様であり、２５６個必要であったホッピングパターン発生回路は３２個になる。さらに受信装置では、ホッピングパターン発生回路ごとに必要な減算回路も３２個になるから、装置ハードウエアの規模は大幅に縮小されることになる。
【００１７】
この例による説明では、ホッピングパターン発生回路（および減算回路）の数が２５６個から３２個になったのであるから、その減少効果は８分の１であるが、さらにホッピングパターンの数ｍが大きい場合を考えると、回路規模は１６分の１、３２分の１、６４分の１・・・と小さくなる。
【００１８】
すなわち本発明により、送信装置および受信装置に登載するハードウエア回路の規模を飛躍的に小さくすることができる。これにより、装置形状が小型化されるとともに、装置ハードウエアの価格を飛躍的に小さくすることができる。
【００１９】
すなわち本発明の第一は通信方法の発明であって、送信側から、入力データのｎビットが表すＫ個数の情報（Ｋ＝２n）をＫ1個のレベル情報（Ｋ1＝２k）およびＫ2個のホッピングパターンの組合せ情報（Ｋ2＝２m＋１，ただしＫ＝Ｋ1＋Ｋ2）として送信するスペクトル拡散通信方法において、前記送信側で複数のホッピングパターン群の組合せにより多数のホッピングパターンを合成することを特徴とする。
【００２０】
さらに本発明は上記通信方法により送信された信号の受信側で、前記ホッピングパターンをその群ごとに分離して段階的に復調することを特徴とする。
【００２１】
受信側では受信信号レベルを検出するとともに、前記ホッピングパターンに対応するＫ2個（Ｋ2＝２m＋１）のホッピングパターンを発生し、前記受信レベルの検出出力を共通に第一入力とし、このホッピングパターンをそれぞれ第二入力とするＫ2 個（Ｋ2＝２m＋１）のｍｏｄ（Ｋ1）減算を実行し、この減算出力のうち同一レベルが多数出現するパターンおよびそのレベルを判定出力とし、その判定出力である前記Ｋ2個のパターンのうちの一つおよびそのパターンにより復号されたＫ1個のうちの一つのレベルの組み合わせからｎビットの情報を復元するステップを含む構成とすることができる。
【００２２】
ただし
Ｋ  ＝Ｋ1＋Ｋ2
Ｋ1＝２k
Ｋ2＝２m＋１
である。
【００２３】
本発明の第二は通信装置の発明であって、入力データのｎビットが表すＫ個数の情報（Ｋ＝２n）をＫ1個のレベル情報（Ｋ1＝２k）およびＫ2個のホッピングパターンの組合せ情報（Ｋ2＝２m＋１，ただしＫ＝Ｋ1＋Ｋ2）として送信する手段を含むスペクトル拡散通信装置において、ホッピングパターン群の組合せにより多数のホッピングパターンを合成する手段を備えたことを特徴とする。
【００２４】
前記ホッピングパターン群の組合せにより多数のホッピングパターンを合成する手段は、受信側で段階的にパターン群を分離できるようにその合成手順が設定される構成とすることが望ましい。
【発明の効果】
【００２５】
この構成により、送信装置および受信装置に設けるハードウエアの規模は飛躍的に小さくすることが可能になる。この構成により、装置を小型化することが可能になり、携帯電話機やＰＤＡ（Personal Digital Assistants)などの携帯機器などについても、この通信方式を実施することが可能になり、その適用範囲を拡大することができる。装置ハードウエアが小さくなることにより、装置価格を低廉化するだけでなく、装置ハードウエアの規模が小さくなることにより集積回路の製造歩留りが向上し、装置価格をさらに低廉化することができる。本発明により同時に動作するハードウエアの数が小さくなるから、送受信機装置に電力を供給する電源装置の瞬時電力を小さく設計することができる。
【発明を実施するための最良の形態】
【００２６】
（実施例１)
図面を用いて本発明実施例についてさらに詳しく説明する。図１は本発明実施例送信装置の要部ブロック構成図である。この装置では、入力端子１０に到来するＫビットの入力二値データを符号器１１に与える。符号器１１はこの入力データをレベル信号に符号化する。このとき入力Ｋビットを二つに分割し、そのうちのＫ1ビットをレベル変換回路１２に与え、Ｋ2ビットをホッピングパターン発生回路１３に与える。
Ｋ＝Ｋ1＋Ｋ2  （ビット）
ただし  Ｋ1＝２k，  Ｋ2＝２m＋１
である。
【００２７】
レベル変換回路１２はＫ1ビットの入力に対応してレベル信号Ｌhを発生する。ホッピングパターン発生回路１３はＫ2ビットの入力レベル信号に対応してＣk個のホッピングパターンを発生する。このＣk個のホッピングパターンは、上記レベル信号Ｌhとともにモジュロｎの加算器１４に入力され、この加算器１４の出力がトーン発生器１５に与えられる。このトーン発生器１５の出力は変調入力端子１６から送信装置の変調入力として供給される。
【００２８】
ここで本発明の特徴とするところは、ホッピングパターン発生回路１３の構成にある。すなわちホッピングパターン発生回路１３の入力となる
Ｋ2＝２m＋１
ビットの信号を二分割して、ホッピングパターン群Ａのホッピングパターン発生回路１７、およびホッピングパターン群Ｂのホッピングパターン発生回路１８に供給する。そしてこの二つのホッピングパターン発生回路１７および１８により、それぞれホッピングパターンを発生し、その出力Ａ群およびＢ群の出力を合成回路１９に供給し、二つのホッピングパターン群の組合せとして多数のホッピングパターンＣkを生成する。
【００２９】
ホッピングパターン発生回路１７は例えばＫ2／２個の入力に対応してｍ個のホッピングパターンＡ1，Ａ2，・・・・・，Ａm  （Ａ群）を発生する。これをＡ群とする。ホッピングパターン発生回路１８もＫ2／２個の入力に対応してホッピングパターンＢ1，Ｂ2，・・・・・，Ｂm  （Ｂ群）を発生する。これをＢ群とする。Ａ群およびＢ群からそれぞれホッピングパターンＡiおよびホッピングパターンＢjを選び、それを加算器１９で加算してホッピングパターンＣkを作ると、
Ｃk＝Ａi＋Ｂj
ここに、ｉ，ｊとはそれぞれ１，２，３，・・・，ｍである。そして
ｋ：１，２，３，・・・・ｍ2
となる。このホッピングパターンの組合せ数はｍ2である。つまり、２ｍ個のホッピングパターンからｍ2個数のホッピングパターンを発生することができる。これは、ｍ2個のホッピングパターン発生回路を用意しなくとも、それぞれｍ個のホッピングパターンを発生する二つのホッピングパターン発生回路１７および１８でよいことになる。このようにしてハードウエアをいちじるしく小さくすることができる。
【００３０】
図２は上記送信装置に対応する本発明実施例受信装置のブロック構成図である。この装置では、受信入力端子２０に到来する中間周波数信号から受信信号レベルを検出する検波器２１を備える。さらに、この受信装置には、上記送信装置のホッピングパターン発生回路１３に対応して、ホッピングパターンを発生するホッピングパターン発生器２３を備える。この例では、ホッピングパターン発生回路２３は、送信装置について説明したＡ群のホッピングパターンｍ個を発生する。このｍ個のホッピングパターン発生回路２３の出力は、それぞれｍ個数の減算器２２に供給され、減算器２２ではそれぞれ入力信号からＡ群のｍ個のホッピングパターンを差し引くことになる。
【００３１】
パターンＡlを差し引いた出力は、
Ｌh＋Ｃk−Ａl＝Ｌh＋Ｂj＋（Ａi−Ａl）
となる。ここで各減算器２２の出力を判定回路２５でＡi−Ａl＝０となるブランチを検出する。判定回路２５の各出力に設けられたスイッチ２６のうち、このＡi−Ａl＝０となるブランチについてスイッチ２６を閉じ、信号を次段に接続する。Ａi−Ａl≠０となるブランチのスイッチはすべて開放し、次段にその出力が流出しないように制御する。次段にはスイッチ２６のうち、閉じたスイッチを通過したＡi−Ａl＝０となるブランチの出力Ｌh＋Ｂjが入力することになる。
【００３２】
この次段には、上記Ｂ群のホッピングパターンを発生するｍ個のホッピングパターン発生回路２４が設けられている。さらに前段から出力Ｌh＋Ｂjがその一方の端子に入力するｍ個の減算器２７が設けられている。このｍ個の減算器２７のそれぞれ他方の端子には、それぞれ上記ｍ個のホッピングパターン発生回路２４の出力が接続されている。
【００３３】
ｍ個の減算器２７では、それぞれ入力Ｌh＋ＢjからＢ群のホッピングパターンを差し引く。ホッピングパターンＢqを差し引いた出力は
Ｌh＋Ｂj−Ｂq
となるが、判定回路２８によりこの中からＢj−Ｂq＝０となるブランチを検出する。そしてそのブランチについて出力側のスイッチ２９を閉じ、その他のブランチについて出力側のすなわち２９を開放する。このようにして出力にはＬhを取り出すことができる。このように二段階の除算により受信装置では、Ａi，Ｂj，Ｌhのすべてが確定できる。
【００３４】
つぎに図３を用いて送信ホッピングパターンの構成法を説明する。すなわち上記説明の中に
Ａi−Ａl＝０
あるいは
Ｂi−Ｂq＝０
となるブランチを選択する過程があったが、このような選択を論理的に可能にするためのホッピングパターンの構成方法の一例を説明する。
【００３５】
図３（ａ）は送信側のホッピングパターンの説明図であり、同（ｂ）は受信側のホッピングパターンの説明図である。この図はレベル数（縦）８、チップ数（横）６の例である。まず図３（ａ）Ｌhに示すように、入力データ３ビットを８個（＝２3）のレベルのうちの一つのレベル（この例ではレベル「６」）に変換する。このレベルマトリクス（Ｌh）にホッピングパターンＣk）を加えるわけであるが、ホッピングパターン・マトリクスは、受信側で段階的に分離できるように、図３（ａ）中「ホッピングパターン・マトリクス」に示すように、左側３チップでＡ群ホッピングパターンを構成し、右側３チップでＢ群ホッピングパターンを構成する。そしてＡ群中のホッピングパターンＡiとＢ群中のホッピングパターンＢjをつないで、６チップのホッピングパターン（Ｃk）を構成する。図１の合成回路１９でこれを加算して、出力マトリクス（Ｌh＋Ｃk）を得る。
【００３６】
受信側では、図２で説明したように、検波器２１にこの出力マトリクス（Ｌh＋Ｃk）が復調されるが、減算器２２でまずＡ群のホッピングパターンを減算する。そうすると、
（Ｌh＋Ｃｋ）−Ａi
の中に図３（ｂ）左のように左側３チップが横一行に並ぶものがある。他のパターンはランダムなパターンになるから、どれが送られてきたパターンに相当するかがわかる。これが受信第１段除算出力（Ｌh＋Ｂj）である。これを減算器２７によりさらにＢ群のホッピングパターンを減算する。そうすると今度は右側３チップが横一行に並ぶものがある。他のパターンはランダムなパターンになるからこれを選択することができる。このようにして６チップが横一行になるマトリクスが得られる。これが第２段除算出力（Ｌh）である。実用的な装置では、送信側と受信側との間の回線および回路で雑音が重畳されるから、横一行に並ぶものは、多数決判定を利用してどの行になるかを判定することが必要である。
【００３７】
（実施例２)
上記説明のようにチップを群ごとに分ける構成は分かりやすいが、チップ数が多くなるので伝送効率が低くなる。これに対して同一チップ内で群を分別合成することにより、受信側で段階的に群を分別復調する方法が考えられる。この方法により伝送効率を改善することができる。以下に示す偶奇分別法はこの考え方に基づく実施例である。図４により５チップの場合を例にとり説明する。
【００３８】
レベルを偶数レベルと奇数レベルに分け、偶数レベルをＥ、奇数レベルをＯで表す。Ａグループは５チップに対しＥとＯが混在するパターンである。例えばＡiはＥＯＥＥＯというパターン、ＡkはＯＥＯＥＥというパターンとする。そうするとＡi−ＡkはＯＯＥＥＯとなり、同じくＥとＯが混在したパターンとなる。Ａi−ＡkがＥＥＥＥＥまたはＯＯＯＯＯとなるパターンは除外しなければならない。すなわち同じＥＯパターンまたはこれとＥＯを逆にしたパターンの中からはひとつのホッピングパターンしか選べない、というルールとする。
【００３９】
５チップに対するＥとＯのすべての組合せは
２5＝３２
通りあるが、この中で相補的な組合せは除くことにする。例えばＥＯＯＥＯとＯＥＥＯＥは相互を加えるとＯＯＯＯＯとなるので両方は使えない。そうすると使用できるＥＯの組合せパターン数は１６となる。一般にチップ数がＬの場合には使用できる組合せパターンの数は２（L−1）である。つまりＡグループは０から１５までの５桁の２進数に対応させてＥとＯを配置すればよい。
【００４０】
つぎにＢグループは全部Ｅまたは全部Ｏでホッピングパターンを構成する。ここでは全部ＥとしてＥＥＥＥＥとする。そうすると、Ａi＋ＢjからＡkを差し引いたパターンがＥＥＥＥＥとなれば
Ａi＝Ａk
であり、これによってＡiを選別することができる。Ａiを差し引いた残りのパターンからＢhを差し引いて、その差が０（すなわちレベル数２n）となるＢhを見つければ、そのＢhがＢjである。
【００４１】
レベルを加えた場合、レベルはＥＥＥＥＥかＯＯＯＯＯのパターンである。この場合は最初にＡkを差し引いたパターンがＥＥＥＥＥかＯＯＯＯＯとなればＡi＝Ａkであると判定する。
【００４２】
この方法による場合には、Ａグループのとりうるパターン数はレベル数でなくチップ数に依存する。Ｂグループはレベルが偶数であればよいので、かなり豊富にパターンを選ぶことができる。
【産業上の利用可能性】
【００４３】
本発明により送信装置および受信装置のハードウエアを小型化することができるから、移動通信装置、携帯電話機、ＰＤＡ（Personal Digital Assistants)に利用することができる。また、ディジタル加入者線（ｘＤＳＬ）通信や電力線通信に使用することができる。
【図面の簡単な説明】
【００４４】
【図１】本発明実施例送信装置のブロック構成図。
【図２】本発明実施例受信装置のブロック構成図。
【図３】本発明第一実施例装置による信号処理説明図。
【図４】本発明第二実施例装置による信号処理説明図。
【図５】本発明装置の原理を説明するための送信装置構成図。
【図６】本発明装置の原理を説明するための受信装置構成図。
【図７】本発明装置の原理を説明するための送信側における信号処理説明図。
【図８】本発明装置の原理を説明するための受信側における信号処理説明図。
【符号の説明】
【００４５】
１  符号器
２  アドレスパターン発生器
３  加算器
４  トーン発生器
５  スペクトル解析器
６  アドレスパターン発生器
７  減算器
８  判定復号器
１０  入力端子
１１  符号器
１２  レベル変換回路
１３  ホッピングパターン発生回路
１４  加算器（モジュロｎ）
１５  トーン発生器
１６  変調出力（入力）端子
１７  ホッピングパターン発生回路
１８  ホッピングパターン発生回路
１９  合成回路
２０  受信入力端子
２１  検波器
２２  減算器
２３  ホッピングパターン発生回路（Ａ群）
２４  ホッピングパターン発生回路（Ｂ群）
２５  判定回路
２６  スイッチ
２７  減算器
２８  判定回路
２９  スイッチ
【図１】
2005045663.tif 000003
【図２】
2005045663.tif 000004
【図３】
2005045663.tif 000005
【図４】
2005045663.tif 000006
【図５】
2005045663.tif 000007
【図６】
2005045663.tif 000008
【図７】
2005045663.tif 000009
【図８】
2005045663.tif 000010